【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
少なくとも膝頭を包み込む面積を備えた膝当て具本体と、該膝当て具本体の上端に取り付けられ、先端をズボン類のベルト等に連結して吊り下げ可能とした伸縮可能な吊り紐と、それぞれ前記膝当て具本体の両端から引き出され、先端を互いに結束可能とした一対の結び紐とを備え、前記膝当て具本体を膝頭に当てた状態で、吊り紐をズボン類のベルト等に連結するとともに、前記一対の結び紐を膝の裏側もしくは膝の側方位置で結束するようにしたことを特徴とする膝当て具。
【請求項２】
前記膝当て具本体が、防水シートを表面に、滑り止めシートを裏面に配置し、その間にクッション層を形成してなることを特徴とする請求項１に記載の膝当て具。
【請求項３】
前記膝当て具本体が、上端を尖頭状に細くしてその端部に伸縮可能な吊り紐を取り付けてなることを特徴とする請求項１または２に記載の膝当て具。
【請求項４】
前記膝当て具本体が、両側の端辺および／または伸縮可能な吊り紐の近辺に沿って芯材を取り付けてなることを特徴とする請求項１ないし３のいずれかに記載の膝当て具。
【手続補正２】
【補正対象書類名】明細書
【補正対象項目名】全文
【補正方法】変更
【補正の内容】
【発明の詳細な説明】
【発明の名称】膝当て具
【技術分野】
【０００１】
この発明は膝当て具、特に、簡単に膝頭に装着することができ、また膝頭に確実に装着することのできる膝当て具に関する。
【背景技術】
【０００２】
人は年を重ねる度に体が弱って、若い時のように動けなくなったとしても、子供のようにハイハイしてなら動ける。また腰痛や、農家で腰を曲げての作業をする人なども、器具をつけたままで長時間の作業ができる。
このように、加齢とともに体は弱くなっていくが、それに負けずに生涯現役で頑張りたいと誰もが思うものである。そこで、元気になる秘訣は何かと考えて、例えば三世代が同居をしている家などのような大家族の家の人達はどんな暮らしをしているかと思って観察すると、それぞれの得意の仕事を分担し、みんな仲良く元気に働いている。だれ一人、現代病のストレスのようなものをもってはいない。
【０００３】
そこで高齢者の仕事の分担を考えると、畑仕事や自宅の周辺の草むしり等が一般的である。先に発明者は、特開１０−２０４７０８号公報（特許文献１参照）に記載された膝当て健康器を提案した。これは、大腿下部から足首にいたる脚前部を被覆する可撓性シートの前面に滑り止めパッドを取り付け、裏面には膝が当接する部分に緩衝部材を取り付け、さらに、脚部に巻き付ける固定ベルトと腰部に係合する吊り下げベルトを備えたものであり、固定ベルトの端部は自在ファスナ（マジックテープ：登録商標）で連結していた。
【０００４】
そして当初は、該膝当て健康器をつけて膝を地面について畑仕事や自宅の周辺の草むしりの作業をしていたが、どうしても地面に直接膝を付くために、前記自在ファスナに土やごみが付着して短時間にその部分の吸着力が弱ってしまうという欠点があった。
すなわち、作業中に膝や脚に力が入るために結合部分が緩みやすく、その都度土やごみを取って作業をしていたが、その作業が面倒な上に土やごみが取れにくく、あまり吸着力が改善されなかったのが実情である。
【０００５】
また、当初の膝当て具は足首までの長さとなっていたので、長くて膝に取り付けるのに手間がかかり、ついつい面倒になって膝当てをしないで畑仕事をし、衣服を汚して洗濯しても汚れが落ちないという問題があった。
【特許文献１】特開１０−２０４７０８号公報
【発明の開示】
【発明が解決しようとする課題】
【０００６】
そこでこの発明は、いくら地面に膝を付いて作業をしても上述のような自在ファスナ部分における吸着力の低下がなく、土やごみが付着しても落としやすいようにしたもので、自在ファスナを紐に代え、またその他の部分も改良して軽くて使いやすい膝当て具を提供しようとするものである。
【課題を解決するための手段】
【０００７】
すなわちこの発明の膝当て具は、少なくとも膝頭を包み込む面積を備えた膝当て具本体と、該膝当て具本体の上端に取り付けられ、先端をズボン類のベルト等に連結して吊り下げ可能とした伸縮可能な吊り紐と、それぞれ前記膝当て具本体の両端から引き出され、先端を互いに結束可能とした一対の結び紐とを備え、前記膝当て具本体を膝頭に当てた状態で、吊り紐をズボン類のベルト等に連結するとともに、前記一対の結び紐を膝の裏側もしくは膝の側方位置で結束するようにしたことを特徴とするものである。
【０００８】
この発明の膝当て具は、前記膝当て具本体が、防水シートを表面に、滑り止めシートを裏面に配置し、その間にクッション層を形成してなることをも特徴とするものである。
【０００９】
この発明の膝当て具は、前記膝当て具本体が、上端を尖頭状に細くしてその端部に伸縮可能な吊り紐を取り付けてなることをも特徴とするものである。
【００１０】
この発明の膝当て具は、前記膝当て具本体が、膝当て具本体が、両側の端辺および／または伸縮可能な吊り紐の近辺に沿って芯材を取り付けてなることをも特徴とするものである。
【発明の効果】
【００１１】
この発明の膝当て具によれば以下のような効果を奏することができる。
１）農家などで、畑仕事の際に地面が濡れている所でも、膝をついての作業ができる。その際、ズボンは汚れないしまた冷えないから非常に快適に作業ができる。
２）子供たちが長い靴下を履いて膝の下をゴム紐で止めていても平気なように、この膝当て具を膝の下に紐で縛っても、足の血行が悪くなったり、しびれるようなことも無く、長時間使うことができる。
今の時代に、紐で縛るというと古いと言われるかもしれないが、この膝当て具は、地面に直接触れるものであり、ゴミや土が沢山ついてしまって自在ファスナが機能しなくなってしまう。このように地面に直接触れるものだけに、種々検討した結果、紐を使うのが最善であることが判明したのである。
３）長時間使っていても、膝が蒸れるようなことがない。
４）膝当て具を装着した状態で地面に膝をついていても、家の中の畳の上で膝をついているような感じで安定感がある。
５）結び紐で膝の下の所だけを止めて膝の上は結束せず、ズボンのパンド等に吊るすようにしたので、膝当て具を装着していても装着している感じがほとんどない。
６）この膝当て具をつけて作業をしていると、庭の草むしりなどの際に子供の背の高さで物を見るようになり、また草花の手入れも低い姿勢であるので、立っている時とは違って目の前で良く見えるだけに作業がしやすく、庭の手入れもしやすい。
【発明を実施するための最良の形態】
【００１２】
以下、この発明の膝当て具の実施形態について図面に基づいて詳細に説明する。
図１はこの発明の膝当て具の１実施例を示す背面図、図２はその底面図、図３は膝当て具の両側端辺に沿って芯材を装着した状態の正面図、図４は膝当て具の吊り紐の近辺に沿って芯材を装着した状態の正面図、図５は膝当て具の両側端辺に沿って装着した芯材の他の例を示す正面図、図６は膝当て具本体の拡大図、図７は膝に装着した状態の正面図、図８は膝に装着した状態の斜視図、図９は使用状態の斜視図である。
【００１３】
図１及び図２において、１１は少なくとも膝頭を包み込む面積を備えた膝当て具本体である。該膝当て具本体１１は、防水シート２１を表面に、クッション層２２を裏面に配置したものである。
【００１４】
前記防水シート２１としてはプラスチックシートやゴムシート等の防水層と布や不織布、網状シートや繊維補強シート等の補強層とを一体化したものが望ましく、ゴム引き布等を好適に使用することができる。
クッション層２２としては、基材上に植毛を施した植毛シートや、表面に通常のゴムシートや滑り止めのための無数の突起を備えたゴムシート、厚めの布、網状シート等の耐摩耗性、耐久性のある素材が好適に使用できる。
【００１５】
該膝当て具本体１１の主要部は、膝頭を包み込む幅の方形あるいは矩形をなし、少なくとも膝の筒状断面の１／２以上の長さを備えており、上端部を尖頭状に細くしてある。防水シート２１およびクッション層２２は、膝当て具本体１１の尖頭状の上端部以外の場所にほぼ同形に積層されている。
膝当て具本体１１の尖頭状の上端部および主要部の両側にはそれぞれ取付穴２４−１、２４−２が形成してあり、取付穴２４−１には伸縮可能な吊り紐２５が取り付けられ、取付穴２４−２には先端を互いに結束可能とした一対の結び紐２６が取り付けられている。伸縮可能な吊り紐２５としては、ゴム紐が好適である。
なお、膝当て具本体１１には、その両側の端辺に沿って針金やパイプ等からなる芯材２７を固定し、かつ、この芯材２７に結び紐２６を取り付けることができる。この芯材２７を取り付けておけば、膝当て具本体１１の端辺が丸まって膝を保護する役目を果たさなくなるという問題を解消することができる。
また、前記取付穴２４−１、２４−２の周面にははとめ（アイレット）を取り付けておけば、取付穴２４−１、２４−２が簡単に裂けたり、吊り紐２５や結び紐２６が擦れて切れてしまうおそれはない。
【００１６】
図３は結び紐３２の取付位置において、膝当て具本体３１の両側端辺に沿って芯材３３−１を取り付けた例を示すものである。上記実施例では、膝当て具本体１１の両端に取付穴２４−２を開けて、そこに結び紐２６を通して止めていたが、そのやりかたでは結び紐２６のかかっている所だけは締まるが、結び紐２６のかかっていない所は充分締まらない。そのため、膝との密着性が悪く、膝の上を簡単に移動してしまう欠点がある。そうかといって固く締めると足が痛くなってしまうのである。したがって、このやり方だと膝をついての各種作業は困難になってしまう。
そこで、最近の若い女子の靴下の少し広めのゴムのように、この発明の膝当てにおいても、引っ張る範囲を広くしたのである。
すなわち、町に出てみると、若い女の子たちが寒くても短いスカートに長めの靴下を履いて歩いているのを見かけることが多い。その靴下をよく見ると上のほうは少し広めのゴムで止めてある。この発明の膝当ても、女の子の靴下のように簡単に止められて、気軽に使えるものに改良したのである。
【００１７】
芯材３３−１としては、例えばプラスチック被覆を施した太めのワイヤを用い、このワイヤに予め結び紐３２を取り付けておいて、膝当て具本体３１の両側端辺に沿ってミシンでしっかり縫いつけてしまえばよい。このようにすれば、あまり結び紐３２を固く締めなくてもしっかりと膝の部分に固定されるので、膝当てが上述のように膝の上を簡単に移動することがない。
【００１８】
図４は吊り紐３４の取付位置においても、膝当て具本体３１の前記取付位置に沿って芯材３３−２を取り付けた例を示すものである。
すなわち、上記実施例では環状の取付穴２４−１に吊り紐２５を取り付けているが、取付穴２４−１だけでは膝当ての両端が丸くなってしまい、膝の上を勝手に移動してしまう。
そこで、膝当て具本体３１の前記取付位置に沿って芯材３３−２を取り付けるのである。そのようにすると、広い範囲を同時に牽引するから、膝当てが膝の上を勝手に動くことがない。
なお、この部分だけゴム紐からなる吊り紐３４で吊り上げているのは、膝をついて草むしりなどの各種作業をする時、体が右や左に自由に動けるようにするためである。例えば、伸び縮みしない普通の布製等の紐であれば、体をひねったり体を曲げ伸ばしたりという動作をしようとしても、体が思うように動けない。
【００１９】
図５は膝当て具本体３１の両側端辺のほぼ全長に沿って芯材３３−３を取り付けた例を示すものである。上記実施例では、芯材３３−３として細いロープを用い、このロープを膝当て具本体３１の内部に縫い付けたものである。
このローブからなる芯材３３−３が入って膨らむことにより、膝当て具本体３１の両側が非常に持ちやすくなり、例えば膝当てを膝に取り付けるときには、椅子や縁側に腰掛けて膝に取り付けるのであるが、その際芯材３３−３を手で持って作業を行なうことにより、とても迅速かつ確実に取付作業を行なうことができる。
【００２０】
図６は膝当て具本体を拡大した状態を示すものである。上記実施例では、膝当て具本体３１の裏面に形成したクッション層３５は、強度に優れた合成繊維がビッシリ上を向いて生えているように植毛してあるので、通常のクッション材としても機能するが、同時に膝の部分の換気をも促進する。
すなわち、草むしりなどしながら膝を上げて前に出ようとすれば、膝当ての中で膝をついたためにペシャンコになったクッション層３５の合成繊維の植毛は、いっせいに元の状態に戻ろうとして起き上がって膝との間に空気層を形成するので、それと同時に新しい空気が入る。
そして、膝をついて歩く度にこれを繰り返すので、膝当ての中はいつも換気が充分で蒸れることがない。
またこの発明の膝当て具は膝のところに直接当接するものであるが、実際には膝に触れているだけであり、少しも圧迫感がない。
【００２１】
上記吊り紐２５は、図７及び図８に示すように、先端をズボン類４１のベルト等４２に連結して吊り下げ可能とするものであって、膝当て具本体１１の上部を膝頭に結び付けなくとも、膝頭からずり落ちないようにするためのものである。この吊り紐２５としてゴムシート等の素材を用いると、ずり落ちそうになった膝当て具本体１１を自動的にもとの位置に戻すことができる。なお、ベルト等４２を通した後の吊り紐２５の端部は物干し用のハサミ等で止めるだけでよく、吊り紐２５の取り付け取り外しを簡易かつ迅速に行なうことができる。
【００２２】
また、前記膝当て具本体１１の両端に取り付けられ、先端を互いに結束可能とした一対の結び紐２６は、前記膝当て具本体１１を膝頭に当てた状態で、一対の結び紐２６を膝の裏側で結束することにより、膝当て具本体１１を膝頭に確実に装着、保持するためのものである。すなわち、この発明の膝当て具は地面に直接触れた状態で使用されるものであり、従来品のようにゴミや土が沢山ついてしまって自在ファスナが機能しなくなってしまうという心配がなくなった。
【００２３】
以上のように構成した膝当て具の使用に際しては、図７ないし図９に示すように、前記膝当て具本体１１裏面のクッション層２２に膝頭が当たるように位置決めをして、結び紐２６をふくらはぎの上部に巻き付けた上、膝の側方位置に結び目を作って固定する。なおそのために、結び紐２６の一方を長く、他方を短くしておくことが望ましい。
その上で、吊り紐２５をズボン４１のベルト等４２に括り付ければよい。
【００２４】
この発明の膝当て具を上述のように脚部に装着した後、図９に示すように地面に片膝をついての作業や、地面に両膝をついて畑仕事をしたり、道端の草取り作業等をすれば、衣服を濡らしたり汚したりすることなく当該作業を行なうことができる。
また、加齢とともに足腰が弱くなって、膝を曲げ伸ばしするのが困難になった人でも、家の中の畳の上で膝をつくような感じで、庭の草むしりもできて日々元気ですごすことができる。
【産業上の利用可能性】
【００２５】
この発明の膝当て具は以上のように構成したので、畑仕事や自宅の周辺の草むしり等の用途のみならず、膝を地面や床面に接触して作業する場面であれば、どのような用途にも利用することができる。
【図面の簡単な説明】
【００２６】
【図１】この発明の膝当て具の１実施例を示す背面図である。
【図２】その底面図である。
【図３】膝当て具の両側端辺に沿って芯材を装着した状態の正面図である。
【図４】膝当て具の吊り紐の近辺に沿って芯材を装着した状態の正面図である。
【図５】膝当て具の両側端辺に沿って装着した芯材の他の例を示す正面図である。
【図６】膝当て具本体の拡大図である。
【図７】膝に装着した状態の正面図である。
【図８】膝に装着した状態の斜視図である。
【図９】使用状態の斜視図である。
【符号の説明】
【００２７】
１１  膝当て具本体
２１  防水シート
２２  クッション層
２４−１、２４−２  取付穴
２５  吊り紐
２６  結び紐
２７  芯材
３１  膝当て具本体
３２  結び紐
３３−１，３３−２，３３−３  芯材
３４  吊り紐
３５  クッション層
４１  ズボン類
４２  ベルト等